(57)【要約】【課題】  操作者が選択する用紙サイズに応じて参照すべき言語の順序を切り替えて、複数の言語情報中から参照すべき単語情報領域を優先的に切り替えながら音声認識処理を実行させることである。【解決手段】  操作パネルによる指示に従い、コントローラ部のＣＰＵが転写用紙サイズを切り換える用紙サイズ切り換えがあると判断した場合に、該切り換え出力に応じて、ＣＰＵ５０３が認識する際に参照すべきＲＡＭ５０５内の言語領域の参照順序を切り換え制御する構成を特徴とする。【選択図】  図３
2005257903.tif 000002
【特許請求の範囲】
【請求項１】
音声入力手段を有する画像形成装置において、
異なる領域に音声認識に必要な単語情報を言語別に複数記憶する記憶手段と、
前記音声入力手段から入力された音声を前記単語情報を参照して音声認識する音声認識手段と、
転写用紙サイズを切り換える用紙サイズ切り換え手段と、
前記用紙サイズ切り換え手段の切り換え出力に応じて、前記音声認識手段が認識する際に参照すべき前記記憶手段内の言語領域の参照順序を切り換え制御する制御手段と、
を有することを特徴とする画像形成装置。
【請求項２】
音声入力手段を有する画像形成装置において、
異なる領域に音声認識に必要な単語情報を言語別に複数記憶する記憶手段と、
前記音声入力手段から入力された音声を前記単語情報を参照して音声認識する音声認識手段と、
操作パネルに表示される表示言語を切り換える表示言語切り換え手段と、
前記表示言語切り換え手段の切り換え出力に応じて、前記音声認識手段が認識する際に参照すべき前記記憶手段内の言語領域の参照順序を切り換え制御する制御手段と、
を有することを特徴とする画像形成装置。
【請求項３】
音声入力手段を有する画像形成装置において、
異なる領域に音声認識に必要な単語情報を言語別に複数記憶する記憶手段と、
前記音声入力手段から入力された音声を前記単語情報を参照して音声認識する音声認識手段と、
転写用紙サイズの系列を切り換える用紙サイズ切り換え手段と、
操作パネルに表示される表示言語を切り換える表示言語切り換え手段と、
前記音声認識手段が認識する際に参照すべき前記記憶手段内の言語領域を切り換える変更手段と、
前記音声認識手段による音声認識の際に前記用紙サイズまたは前記表示言語の何れを優先するかを選択する選択手段と、
前記選択手段の選択状態と、前記用紙サイズ切り換え手段の切り換え出力と、または前記表示言語切り換え手段の切り換え出力とに応じて、前記音声認識手段が認識する際に参照すべき前記記憶手段内の言語領域の参照順序を切り換え制御する制御手段と、
を有することを特徴とする画像形成装置。
【請求項４】
前記記憶手段は、異なる領域に音声認識に必要な単語情報を所定の優先順位に基づき言語別に複数記憶していることを特徴とする請求項１〜３のいずれかに記載の画像形成装置。
【請求項５】
前記記憶手段は、異なる領域に音声認識に必要な単語情報を所定の優先順位に基づき言語別に複数追加記憶可能とすることを特徴とする請求項１〜３のいずれかに記載の画像形成装置。
【請求項６】
異なる領域に音声認識に必要な単語情報を言語別に複数記憶する記憶手段を備え、音声入力手段を有する画像形成装置における音声入力処理方法において、
前記音声入力手段から入力された音声を前記単語情報を参照して音声認識する音声認識ステップと、
転写用紙サイズを切り換える用紙サイズ切り換えステップと、
前記用紙サイズ切り換えステップの切り換え出力に応じて、前記音声認識ステップが認識する際に参照すべき前記記憶手段内の言語領域の参照順序を切り換え制御する制御ステップと、
を有することを特徴とする音声入力処理方法。
【請求項７】
異なる領域に音声認識に必要な単語情報を言語別に複数記憶する記憶手段を備え、音声入力手段を有する画像形成装置における音声入力処理方法において、
前記音声入力手段から入力された音声を前記単語情報を参照して音声認識する音声認識ステップと、
操作パネルに表示される表示言語を切り換える表示言語切り換えステップと、
前記表示言語切り換えステップの切り換え出力に応じて、前記音声認識ステップが認識する際に参照すべき前記記憶手段内の言語領域の参照順序を切り換え制御する制御ステップと、
を有することを特徴とする音声入力処理方法。
【請求項８】
異なる領域に音声認識に必要な単語情報を言語別に複数記憶する記憶手段を備え、音声入力手段を有する画像形成装置における音声入力処理方法において、
前記音声入力手段から入力された音声を前記単語情報を参照して音声認識する音声認識ステップと、
転写用紙サイズの系列を切り換える用紙サイズ切り換えステップと、
操作パネルに表示される表示言語を切り換える表示言語切り換えステップと、
前記音声認識ステップが認識する際に参照すべき前記記憶手段内の言語領域を切り換える変更ステップと、
前記音声認識ステップによる音声認識の際に前記用紙サイズまたは前記表示言語の何れを優先するかを選択する選択ステップと、
前記選択ステップの選択状態と、前記用紙サイズ切り換えステップの切り換え出力または前記表示言語切り換えステップの切り換え出力とに応じて、前記音声認識ステップが認識する際に参照すべき前記記憶手段内の言語領域の参照順序を切り換え制御する制御ステップと、
を有することを特徴とする音声入力処理方法。
【請求項９】
請求項６〜８のいずれかに記載の音声入力処理方法を実行させるためのプログラムを格納したことを特徴とするコンピュータが読み取り可能な記憶媒体。
【請求項１０】
請求項６〜８のいずれかに記載の音声入力処理方法を実行させることを特徴とするプログラム。
【発明の詳細な説明】
【技術分野】
【０００１】
本発明は、音声入力される音声情報を言語別に認識処理可能な画像形成装置および音声入力処理方法およびコンピュータが読み取り可能なプログラムを格納した記憶媒体およびプログラムに関するものである。
【背景技術】
【０００２】
従来、この種の画像形成装置は、多機能化が進み、種々の機能（コピー機能、ファクシミ機能等）を組み合わせ処理可能な複合機が実用化されている。そして、このような複合機には、各種の画像処理を設定したり、現在の状況をユーザに通知するための操作パネルが設けられ、この操作パネルをユーザが直接操作することで、意図する画像処理を実行させることができる。
【０００３】
さらに、上記のような複合機を含む画像形成装置において、操作パネル上のキー入力による設定以外に音声による入力で各種モードの設定が行えるものが、例えば下記特許文献１によって既に提案されている。
【特許文献１】特開２００１−１７５２７８号公報
【発明の開示】
【発明が解決しようとする課題】
【０００４】
しかしながら、上記特許文献１に開示されるような画像形成装置では、音声入力モードにおいて、対応すべき言語は１つとは限らないため、各国の言語に対応させた音声認識エンジンをあらかじめ備える必要が生じる。
【０００５】
したがって、音声入力モードが設定されたとしても、何ヶ国語もの言語に対応させた場合は、言語認識処理に要する時間がかかるだけでなく、誤認識を起こしやすくなるという問題点もあり、好ましくないという課題が指摘されていた。
【０００６】
本発明は、上記の問題点を解決するためになされたもので、第１の目的は、前記用紙サイズ切り換え出力に応じて、音声認識する際に参照すべき記憶手段内の言語領域の参照順序を切り換え制御することにより、操作者が選択する用紙サイズに応じて参照すべき言語の順序を切り替えて、複数の言語情報中から参照すべき単語情報領域を優先的に切り替えながら音声認識処理を実行させることができ、音声認識処理に要する時間を大幅に短縮することができる利便性に優れた画像形成装置および音声入力処理方法およびコンピュータが読み取り可能なプログラムを格納した記憶媒体およびプログラムを提供することである。
【０００７】
第２の目的は、表示言語切り換え出力に応じて、音声認識する際に参照すべき記憶手段内の言語領域の参照順序を切り換え制御することにより、操作者が選択する用紙サイズに応じて参照すべき言語の順序を切り替えて、複数の言語情報中から参照すべき単語情報領域を優先的に切り替えながら音声認識処理を実行させることができ、音声認識処理に要する時間を大幅に短縮することができる利便性に優れた画像形成装置および音声入力処理方法およびコンピュータが読み取り可能なプログラムを格納した記憶媒体およびプログラムを提供することである。
【０００８】
第３の目的は、用紙サイズまたは表示言語の何れを優先させるかの選択状態と、前記用紙サイズ切り換え出力と、または表示言語切り換え出力とに応じて、音声認識する際に参照すべき記憶手段内の言語領域の参照順序を切り換え制御することにより、操作者が選択する用紙サイズに応じて参照すべき言語の順序を切り替えて、複数の言語情報中から参照すべき単語情報領域を優先的に切り替えながら音声認識処理を実行させることができ、音声認識処理に要する時間を大幅に短縮することができる利便性に優れた画像形成装置および音声入力処理方法およびコンピュータが読み取り可能なプログラムを格納した記憶媒体およびプログラムを提供することである。
【課題を解決するための手段】
【０００９】
本発明は、音声入力手段を有する画像形成装置において、異なる領域に音声認識に必要な単語情報を言語別に複数記憶する記憶手段と、前記音声入力手段から入力された音声を前記単語情報を参照して音声認識する音声認識手段と、転写用紙サイズを切り換える用紙サイズ切り換え手段と、前記用紙サイズ切り換え手段の切り換え出力に応じて、前記音声認識手段が認識する際に参照すべき前記記憶手段内の言語領域の参照順序を切り換え制御する制御手段とを有することを特徴とする。
【００１０】
また、本発明は、音声入力手段を有する画像形成装置において、異なる領域に音声認識に必要な単語情報を言語別に複数記憶する記憶手段と、前記音声入力手段から入力された音声を前記単語情報を参照して音声認識する音声認識手段と、操作パネルに表示される表示言語を切り換える表示言語切り換え手段と、前記表示言語切り換え手段の切り換え出力に応じて、前記音声認識手段が認識する際に参照すべき前記記憶手段内の言語領域の参照順序を切り換え制御する制御手段とを有することを特徴とする。
【００１１】
さらに、本発明は、音声入力手段を有する画像形成装置において、異なる領域に音声認識に必要な単語情報を言語別に複数記憶する記憶手段と、前記音声入力手段から入力された音声を前記単語情報を参照して音声認識する音声認識手段と、転写用紙サイズの系列を切り換える用紙サイズ切り換え手段と、操作パネルに表示される表示言語を切り換える表示言語切り換え手段と、前記音声認識手段が認識する際に参照すべき前記記憶手段内の言語領域を切り換える変更手段と、前記音声認識手段による音声認識の際に前記用紙サイズまたは前記表示言語の何れを優先するかを選択する選択手段と、前記選択手段の選択状態と、前記用紙サイズ切り換え手段の切り換え出力と、または前記表示言語切り換え手段の切り換え出力とに応じて、前記音声認識手段が認識する際に参照すべき前記記憶手段内の言語領域の参照順序を切り換え制御する制御手段とを有することを特徴とする。
【００１２】
本発明は、異なる領域に音声認識に必要な単語情報を言語別に複数記憶する記憶手段を備え、音声入力手段を有する画像形成装置における音声入力処理方法において、前記音声入力手段から入力された音声を前記単語情報を参照して音声認識する音声認識ステップと、転写用紙サイズを切り換える用紙サイズ切り換えステップと、前記用紙サイズ切り換えステップの切り換え出力に応じて、前記音声認識ステップが認識する際に参照すべき前記記憶手段内の言語領域の参照順序を切り換え制御する制御ステップとを有することを特徴とする。
【００１３】
本発明は、異なる領域に音声認識に必要な単語情報を言語別に複数記憶する記憶手段を備え、音声入力手段を有する画像形成装置における音声入力処理方法において、前記音声入力手段から入力された音声を前記単語情報を参照して音声認識する音声認識ステップと、操作パネルに表示される表示言語を切り換える表示言語切り換えステップと、前記表示言語切り換えステップの切り換え出力に応じて、前記音声認識ステップが認識する際に参照すべき前記記憶手段内の言語領域の参照順序を切り換え制御する制御ステップとを有することを特徴とする。
【００１４】
本発明は、異なる領域に音声認識に必要な単語情報を言語別に複数記憶する記憶手段を備え、音声入力手段を有する画像形成装置における音声入力処理方法において、前記音声入力手段から入力された音声を前記単語情報を参照して音声認識する音声認識ステップと、転写用紙サイズの系列を切り換える用紙サイズ切り換えステップと、操作パネルに表示される表示言語を切り換える表示言語切り換えステップと、前記音声認識ステップが認識する際に参照すべき前記記憶手段内の言語領域を切り換える変更ステップと、前記音声認識ステップによる音声認識の際に前記用紙サイズまたは前記表示言語の何れを優先するかを選択する選択ステップと、前記選択ステップの選択状態と、前記用紙サイズ切り換えステップの切り換え出力と、または前記表示言語切り換えステップの切り換え出力とに応じて、前記音声認識ステップが認識する際に参照すべき前記記憶手段内の言語領域の参照順序を切り換え制御する制御ステップとを有することを特徴とする。
【発明の効果】
【００１５】
本発明によれば、操作者が選択する用紙サイズに応じて参照すべき言語の順序を切り替えて、複数の言語情報中から参照すべき単語情報領域を優先的に切り替えながら音声認識処理を実行させることができ、音声認識処理に要する時間を大幅に短縮することができる。
【００１６】
また、操作者が選択する用紙サイズに応じて参照すべき言語の順序を切り替えて、複数の言語情報中から参照すべき単語情報領域を優先的に切り替えながら音声認識処理を実行させることができ、音声認識処理に要する時間を大幅に短縮することができる。
【００１７】
さらに、操作者が選択する用紙サイズに応じて参照すべき言語の順序を切り替えて、複数の言語情報中から参照すべき単語情報領域を優先的に切り替えながら音声認識処理を実行させることができ、音声認識処理に要する時間を大幅に短縮することができる。
【発明を実施するための最良の形態】
【００１８】
次に本発明を実施するための最良の形態について図面を参照して説明する。
【００１９】
図１は、本発明の一実施形態を示す画像形成装置の構成を説明する概略断面図である。
【００２０】
図１において、１０１は原稿台ガラスであり、原稿自動送り装置１４２から給送された原稿が順次、所定位置に載置される。１０２は例えばハロゲンランプから構成される原稿照明ランプで、原稿台ガラス１０１に載置された原稿を露光する。１０３、１０４、１０５は走査ミラーであり、図示しない光学走査ユニットに収容され、往復動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。
【００２１】
撮像素子１０８からの画像信号出力は例えば８ビットのデジタルデータに変換された後、コントローラ部１３９に入力される。また、１１０は感光ドラムであり、前露光ランプ１１２によって画像形成に備えて除電される。１１３は１次帯電器であり、感光ドラム１１０を一様に帯電させる。１１７は露光手段であり、例えば半導体レーザ等で構成され、画像形成や装置全体の制御を行うコントローラ部１３９で処理された画像データに基づいて感光ドラム１１０を露光し、静電潜像を形成する。１１８は現像器であり、黒色の現像剤（トナー）が収容されている。
【００２２】
１１９は転写前帯電器であり、感光ドラム１１０上に現像されたトナー像を用紙に転写する前に高圧をかける。１２０、１２２、１２４は給紙ユニットであり、各給紙ローラ１２１、１２３、１２５の駆動により、転写用紙が装置内へ給送され、レジストローラ１２６の配設位置で一旦停止し、感光ドラム１１０に形成された画像との書き出しタイミングがとられ再給送される。１２７は転写帯電器であり、感光ドラム１１０に現像されたトナー像を給送される転写用紙に転写する。１２８は分離帯電器であり、転写動作の終了した転写用紙を感光ドラム１１０より分離する。転写されずに感光ドラム１１０上に残ったトナーはクリーナー１１１によって回収される。
【００２３】
１２９は搬送ベルトで、転写プロセスの終了した転写用紙を定着器１３０に搬送し、例えば熱により定着される。１３１はフラッパであり、定着プロセスの終了した転写用紙の搬送パスを、ステイプルソータ１３２または中間トレイ１３７の配置方向のいずれかに制御する。ステイプルソータ１３２に排紙された用紙は各ビンに仕分けされ、コントローラ部１３９からの指示によりステイプル部１４１がステイプルを行う。また、１３３〜１３６は給送ローラであり、一度定着プロセスの終了した転写用紙を中間トレイ１３７に反転（多重）または非反転（両面）して給送する。１３８は再給送ローラであり、中間トレイ１３７に載置された転写用紙を再度、レジストローラ１２６の配設位置まで搬送する。
【００２４】
１３９はコントローラ部で、後述するマイクロコンピュータ、音声認識処理部、画像処理部等を備えており、操作パネル１４０からの指示に従って、あるいは音声入力を解読して、前述の画像形成動作を行う。
【００２５】
図２は、図１に示した画像形成装置の操作パネル１４０の構成を説明するのブロック図である。
【００２６】
図２において、４０１はＣＰＵで、操作パネル１４０全体の制御を行うものであり、装置の制御手順（制御プログラム）を記憶した読み取り専用メモリ４０３（ＲＯＭ）からプログラムを順次読み取り、実行する。ＣＰＵ４０１のアドレスバスおよびデータバスはバスドライバ回路、アドレスデコーダ回路４０２をへて各負荷に接続されている。
【００２７】
また、４０４は入力データの記憶や作業用記憶領域等として用いる主記憶装置であるランダムアクセスメモリ（ＲＡＭ）である。４０５はＩ／Ｏインタフェースであり、キー及びＬＥＤにて構成されるキー／ＬＥＤ部２２２からのキー入力、ＬＥＤへの出力のインタフェースである。
【００２８】
２１９は表示をおこなうＬＣＤ２２１への表示データをコントロールするＬＣＤコントローラであり、表示用のバッファメモリ（ＶＲＡＭ）に一時的に表示データを蓄積し、ＬＣＤ２２１に表示データを転送する。２１６は音声入出力ユニット（音声Ｉ／Ｆ）であり、ハンドセット２１８からの音声入出力、スピーカ２１７への音声出力のための回路を備えている。
【００２９】
ＣＰＵ４０１はバスを介して音声データの入出力を行う。また、４０６は外部ＣＰＵとの通信用のＤＰＲＡＭ（デュアルポートＲＡＭ）であり、このＲＡＭを介して、外部ＣＰＵとデータのやり取りを行う。
【００３０】
図３は、図１に示した音声入出力ユニット２１６の詳細構成を説明するブロック図であり、図２と同一のものには同一の符号を付してある。
【００３１】
図３において、音声入出力ユニット２１６は、ＣＰＵ５０３からＣＰＵバスを介して入力された音声データをスピーカ２１７もしくはハンドセット２１８から音声出力する回路と、ハンドセット２１８から音声入力された音声データをＣＰＵ５０３に対しＣＰＵバスを介して入力する回路から構成される。
【００３２】
５０３は、音声入出力ユニット２１６の制御及び入力音声の音声認識を行うＣＰＵであり、装置の制御手順（制御プログラム）を記憶した読み取り専用メモリ５０４（ＲＯＭ）からプログラムを順次読み取り、実行する。音声認識については、公知のＤＰマッチング法あるいはＨＭＭ（Ｈｉｄｄｅｎ  Ｍａｒｋｏｖ  Ｍｏｄｅｌ）手法を用いる。
【００３３】
５０５は入力データの記憶や作業用記憶領域等として用いる主記憶装置であるランダムアクセスメモリ（ＲＡＭ）である。
【００３４】
また、ＲＡＭ５０５内には音声認識のパターンマッチングに使用する単語辞書があり、本装置の操作及び設定に必要な比較すべき標準単語が格納されている。例えば日本語、英語、フランス語、イタリア語、ドイツ語の５ヶ国語について各々指定アドレスから格納されている。
【００３５】
なお、ＲＡＭ５０５内には音声認識のパターンマッチングに使用する単語辞書を、例えば異なる領域に音声認識に必要な単語情報を所定の優先順位に基づき言語別に複数追加記憶可能として、仕向け地や使用者の言語環境に適応して自在に変更可能に構成されている。
【００３６】
また、日本語、英語、フランス語、イタリア語、ドイツ語の辞書の格納アドレスは、参照順位とすべき、例えば優先順位に基づいて設定することも、任意の順序とすることも可能に構成されているものとする。
【００３７】
５０６は、操作パネル全体の制御を行うＣＰＵ４０１との通信用のＤＰＲＡＭ（デュアルポートＲＡＭ）であり、このＲＡＭを介して、ＣＰＵ４０１とデータのやり取りを行う。
【００３８】
２１７はスピーカであり、アンプ５２９から入力されたアナログ信号を音声出力する。２１８はハンドセットであり、アンプ５２８から入力されたアナログ信号の音声出力と、音声入力したアナログ信号をアンプ５３７への出力と、ハンドセット２１８のオンフック、オフフック検知信号をレジスタ制御部５１３への出力を行う。
【００３９】
５１１はバスＩ／Ｆ制御部であり、ＦＩＦＯ５２１、５３１への読み書きタイミングを生成させる為にタイミング制御部５１２へ制御信号を入力し、ＣＰＵ５０３のＣＰＵバスとＦＩＦＯ５２１、５３１間の音声データのやり取りを行う。また、レジスタ制御部５１３の各種レジスタへの読み書きと、割り込み生成部５１５によって入力された割り込み信号をもとにＣＰＵ５０３へ割り込みも行う。タイミング制御部５１２は、バスＩ／Ｆ制御部５１１の制御信号とレジスタ制御部５１３のコントロールレジスタとステータスレジスタに従ってＦＩＦＯ５２１、５３１への読み書きのタイミング制御を行うものである。
【００４０】
また、ＦＩＦＯ５２１、５３１の書込み位置、読出し位置を示すアドレスをレジスタ制御部５１３のカウンタレジスタとして持ち、そのカウントアップ制御も行う。レジスタ制御部５１３は、バスＩ／Ｆ制御部５１１、タイミング制御部５１２、アンプＯＮ＿ＯＦＦ制御部５１４、割り込み生成部５１５、Ａ／Ｄ，Ｄ／Ａ制御部５１６、データ変換部５２２、５２４、５３２、５３４、補間部５２３、間引き部５３３で利用されるステータスレジスタ、コントロールレジスタ、カウンタレジスタを含み、これらレジスタの制御も行う。
【００４１】
この制御例として、ハンドセット２１８から入力されたオンフック、オフフック検知信号によってステータスレジスタのＯＮ＿ＯＦＦを切り換えたり、ＦＩＦＯ５２１、５３１の書込み位置、読出し位置を示すカウンタレジスタがＦＩＦＯサイズに達した時にステータスレジスタを立てたり、音声入出力ユニット２１６の処理終了を示すステータスレジスタを立てたりすることが挙げられる。
【００４２】
５１４はアンプＯＮ＿ＯＦＦ制御部であり、レジスタ制御部５１３のコントロールレジスタに従ってアンプ５２７、５２８、５３７のＯＮ＿ＯＦＦ制御を行う。このコントロールレジスタはバスＩ／Ｆ制御部５１１を介し、ＣＰＵ５０３から制御される。
【００４３】
また、オンフック、オフフックを示すステータスレジスタによってＯＮ＿ＯＦＦ制御される場合もある。５１５は割り込み生成部であり、レジスタ制御部５１３のステータスレジスタのステータスに変化があったときに割り込み信号を生成し、バスＩ／Ｆ制御部５１１を介してＣＰＵ５０３に割り込み信号を出力する。
【００４４】
ここで、割り込み信号を生成する例として、ハンドセット２１８のオンフック、オフフックを検知したとき、ＦＩＦＯ  ５２１、５３１の読み書きが終了したとき、音声入出力ユニット２１６の処理が終了したときなどが挙げられる。Ａ／Ｄ，Ｄ／Ａ制御部５１６は、レジスタ制御部５１３のコントロールレジスタに従ってＤ／Ａ変換部５２５  とＡ／Ｄ変換部５３５のサンプリング周波数変更、ＯＮ＿ＯＦＦ制御、変換開始制御を行う。
【００４５】
このコントロールレジスタはバスＩ／Ｆ制御部５１１を介し、ＣＰＵ５０３から制御される。また、オンフック、オフフックを示すステータスレジスタによってＯＮ＿ＯＦＦ制御される場合もある。ＦＩＦＯ（Ｆｉｒｓｔ  Ｉｎ  Ｆｉｒｓｔ  Ｏｕｔ）５２１、５３１は、音声データ用のバッファメモリである。ここで、このＦＩＦＯはダブルバッファ構成であってもよい。
【００４６】
データ変換部５２２、５２４、５３２、５３４は、補間部５２３あるいは間引き部５３３のようにデータ処理で使用するデータ幅と、ＦＩＦＯ５２１、５３１あるいはＤ／Ａ変換部５２５、Ａ／Ｄ変換部５３５とのデータ幅を合わせるためのデータ変換部である。この変換部は全てが同じデータ幅で処理されている場合には不要となる。
【００４７】
補間部５２３は、Ｄ／Ａ変換部５２５でのサンプリング周波数よりも音声データのサンプリング周波数が小さくデータ量が少ないときにデータ補間するものである。また、レジスタ制御部５１３のコントロールレジスタに従い補間方法を変える。このコントロールレジスタはバスＩ／Ｆ制御部５１１を介し、ＣＰＵ５０３から制御される。
【００４８】
Ｄ／Ａ変換部５２５は、Ａ／Ｄ，Ｄ／Ａ制御部５１６で設定されたサンプリング周波数に従い、デジタル信号をアナログ信号へ変換するものである。５２６、５３６はＬＰＦ（Ｌｏｗ  Ｐａｓｓ  Ｆｉｌｔｅｒ）であり、高周波成分をカットするフィルタである。
【００４９】
ここで、ＬＰＦ５２６のカットオフ周波数はＤ／Ａ変換部５２５のサンプリング周波数の１／２以下の周波数で、ＬＰＦ５３６のカットオフ周波数はＡ／Ｄ変換部５３５のサンプリング周波数の１／２以下の周波数である。５２７、５２８、５３７はアンプであり、信号増幅をするもので、アンプＯＮ＿ＯＦＦ制御部５１４によってＯＮ＿ＯＦＦが制御される。
【００５０】
間引き部５３３は、Ａ／Ｄ変換部５３５でのサンプリング周波数よりも音声データのサンプリング周波数が小さくデータ量が少ないときにデータ間引きするものである。また、レジスタ制御部５１３のコントロールレジスタに従い間引き方法を変える。Ａ／Ｄ変換部５３５は、Ａ／Ｄ，Ｄ／Ａ制御部５１６で設定されたサンプリング周波数に従いアナログ信号をデジタル信号へ変換する。
【００５１】
図４は、図１に示した画像形成装置におけるコントローラ部１３９の構成を説明するブロック図である。
【００５２】
図４において、２０１は画像形成装置全体の制御を行うＣＰＵであり、装置本体の制御手順（制御プログラム）を記憶した読み取り専用メモリ２０３（ＲＯＭ）からプログラムを順次読み取り、実行する。ＣＰＵ２０１のアドレスバスおよびデータバスはバスドライバ回路、アドレスデコーダ回路２０２をへて各負荷に接続されている。また、２０４は入力データの記憶や作業用記憶領域等として用いる主記憶装置であるランダムアクセスメモリ（ＲＡＭ）である。
【００５３】
２０５はＩ／Ｏインタフェースであり、給紙系、搬送系、光学系の駆動を行うモータ類２０７、クラッチ類２０８、ソレノイド類２０９、また、搬送される用紙を検知するための紙検知センサ類２１０等の装置の各負荷に接続される。カセットサイズＳＷ２２３は各用紙カセットのサイズを設定するものであり、例えばＡ４、Ａ３、ＬＴＲ等の紙サイズに対して４ビットのコードで入力される。現像器１１８には現像器内のトナー量を検知するトナー残量センサ２１１が配置されており、その出力信号がＩ／Ｏポート２０５に入力される。２１５は高圧ユニットであり、ＣＰＵ２０１の指示に従って、前述の１次帯電器１１３、現像器１１８、転写前帯電器１１９、転写帯電器１２７、分離帯電器１２８へ高圧を出力する。
【００５４】
２０６は画像処理部であり、ＣＣＤユニット１０６から出力された画像信号が入力され、後述する画像処理を行い、画像データに従ってレーザユニット１１７の制御信号を出力する。レーザユニット１１７から出力されるレーザ光は感光ドラム１１０を照射し、露光するとともに非画像領域において受光センサであるビーム検知センサ２１３によって発光状態が検知され、その出力信号がＩ／Ｏポート２０５に入力される。
【００５５】
図５は、図４に示した画像処理部２０６の詳細構成を説明するブロック図である。
【００５６】
図５において、ＣＣＤ１０８により電気信号に変換された画像信号は、まずシェーディング回路３０１によって画素間のばらつきの補正を行った後、変倍回路３０２において、縮小コピー時はデータの間引き処理を行い、拡大コピー時はデータの補間を行う。次に、エッジ強調回路３０３において、例えば５×５のウインドウで２次微分を行い、画像のエッジを強調する。この画像データは輝度データであるのでプリンタに出力するための濃度データに変換するためγ変換回路３０４でテーブルサーチによりデータ変換を行う。
【００５７】
そして、濃度データに変換された画像データは２値化処理部３０５へ入力される。ここでは、例えばＥＤ法により多値データを２値データに変換する。２値に変換された画像データは合成回路３０７に入力される。合成回路３０７では、入力された画像データと例えばＤＲＡＭにより構成される画像用メモリ３１０内の画像データを選択的に出力する、またはＯＲをとって出力する。この画像用メモリ３１０に対するリードライト制御はメモリ制御部３０９で行う。これらの画像データはレーザの発光強度の信号に変換するためＰＷＭ回路３０８へ入力され、画像の濃度に従ったパルス幅をレーザユニットに対して出力する。
【００５８】
図６は、図１に示した画像形成装置の操作パネル１４０の構成を説明する平面図である。
【００５９】
図６において、ＬＣＤ表示部１０３２は、ＬＣＤ上にタッチパネルシートが貼られており、システムの操作画面を表示するとともに、表示してあるキーが押されるとその位置情報をＣＰＵ４０１に伝える。テンキー１０２８はコピー枚数など、数字の入力時に使用する。
【００６０】
スタートキー１０２９は原稿画像の読み取り動作を開始する時などに用いる。ストップキー１０３０は稼働中の動作を止めるときに使用する。リセットキー１０３１は操作部からの設定を初期化する時に用いる。
【００６１】
また、１０２３はガイドキーであり、キーの機能が解らないとき押すとそのキーの説明が表示される。１０２４はコピーモードキーであり、複写を行うときに押す。１０２５はファクスキーであり、ファクスに関する設定を行うときに押す。１０２６はファイルキーであり、ファイルデータを出力したいときに押す。１０２７はプリンターキーであり、コンピュータ等の外部装置からのプリント出力に関する設定などを行なうときに使用する。
【００６２】
１０３３は、音声キーであり、音声の入出力を受け付けるときに、キーを押下して設定を行い、設定をオフにする場合には再度、押下して設定を解除することができる。１０３４はパワスイッチである。
【００６３】
２１７はスピーカで、音声によるガイドがスピーカを通して出力する。２１８はハンドセットであり、これを使用して音声を入力したり、音声ガイドを聞くことができる。
【００６４】
図７は、図６に示した操作パネル１４０のＬＣＤ表示部１０３２の標準表示画面例を説明する図である。
【００６５】
図７において、１００１は拡張機能キーであり、このキーを押すことによって両面複写、多重複写、移動、とじ代の設定、枠消しの設定等のモードに入る。１００２は画像モードキーであり、複写画像に対して網掛け、影付け、トリミング、マスキングを行うための設定モードに入る。１００３はユーザモードキーであり、モードメモリの登録、標準モード画面の設定がユーザごとに行える。１００４は応用ズームキーであり、原稿のＸ方向、Ｙ方向を独立に変倍するモード、原稿のサイズと複写サイズから変倍率を計算するズームプログラムのモードに入る。
【００６６】
１００５、１００６、１００７はＭ１キー、Ｍ２キー、Ｍ３キーであり、それぞれのモードメモリを呼び出す際に押す。１００８はコールキーであり、前回設定されていた複写モードを呼び出す際に押す。１００９はオプションキーであり、フィルムから直接複写するためのフィルムプロジェクタ等のオプション機能の設定を行う。１０１０はソータキーであり、ソート出力、グループ出力等のモード設定を行う。
【００６７】
１０１１は原稿混載キーであり、原稿フィーダにＡ４サイズとＡ３サイズ、またはＢ５サイズとＢ４サイズの原稿を一緒にセットする際に押す。１０１２は等倍キーであり、複写倍率を１００％にする際に押す。１０１４、１０１５はそれぞれ縮小キー、拡大キーであり、定形の縮小、拡大を行う際に押す。１０１６はズームキーであり、１％刻みで非定形の縮小、拡大を行う際に押す。１０１３は用紙選択キーであり、複写用紙の選択を行う際に押す。
【００６８】
１０１８、１０２０は濃度キーであり、１０１８を押すごとに濃く複写され、１０２０を押すごとに薄く複写される。１０１７は濃度表示であり、濃度キーを押すと表示が左右へ変化する。１０１９はＡＥキーであり、新聞のように地肌の濃い原稿を自動濃度調整複写するときに押す。
【００６９】
１０２１はＨｉＦｉキーであり、写真原稿のように中間調の濃度が多い原稿の複写の際に押す。１０２２は文字強調キーであり、文字原稿の複写で文字を際立たせたい場合に押下する。１０３４は音声設定キーであり、音声のボリューム設定等の音声入出力時の各種設定を行う時に押す。
【００７０】
図８は、図６に示した操作パネル１４０のＬＣＤ表示部１０３２の表示画面例を説明する図であり、図７に示したユーザモードキー１００３を押した時に入るユーザモード内の設定で操作パネルに表示する表示言語を設定する画面例に対応する。なお、本実施形態では現在の表示言語として日本語が選択されている。
【００７１】
図８において、表示言語の変更を行う場合には、日本語キー８０１、英語キー８０２、フランス語キー８０３、ドイツ語キー８０４、イタリア語キー８０５のどれかを押し、その後にＯＫキー８０６を押す。設定が終了したら、戻るキー８０７を押して、この設定画面を終了する。
【００７２】
図９は、図６に示した操作パネル１４０のＬＣＤ表示部１０３２の表示画面例を説明する図であり、音声認識による詳細設定画面例に対応し、本画面は図６における音声キー１０３３を押して設定できる各種音声関連の項目の１つを選択する事で表示できる。なお、図７と同一部分には同一の符号を付してある。
【００７３】
図９において、９０１は用紙優先キーであり、入力音声の音声認識を用紙のカセットサイズに応じた制御で行う場合に押す。９０２は表示言語優先キーであり、入力音声の音声認識を操作パネルの表示言語に応じた制御で行う場合に押す。用紙優先キー９０１または表示言語優先キー９０２を押した後、ＯＫキー９０３を押す事で設定される。設定が終了したら、戻るキー９０４を押して、この設定画面を終了する。
【００７４】
図１０は、図３に示した音声入出力ユニット２１６内のＣＰＵ５０３がアクセスするＲＡＭ５０５のアドレスマップを説明する図である。
【００７５】
図１０において、図３のＣＰＵ５０３は、制御プログラムを記憶した読み取り専用メモリ５０４（ＲＯＭ）内のプログラムを実行する際に、ＲＡＭ５０５をワークメモリとして使用するとともに、音声認識の際のパターンマッチングに使用する単語辞書があり、比較すべき標準単語が格納されている。本実施形態ではワーク領域としてＦ０００００番地〜ＦＦＦＦＦＦ番地が割り当てられている。
【００７６】
また、単語辞書領域としてＡ０００００番地〜ＥＦＦＦＦＦ番地が割り当てられており、日本語辞書領域（Ａ０００００番地〜ＡＦＦＦＦＦ番地）、英語辞書領域（Ｂ０００００番地〜ＢＦＦＦＦＦ番地）、フランス語辞書領域（Ｃ０００００番地〜ＣＦＦＦＦＦ番地）、ドイツ語辞書領域（Ｄ０００００番地〜ＤＦＦＦＦＦ番地）、イタリア語辞書領域（Ｅ０００００番地〜ＥＦＦＦＦＦ番地）に分割されマッピングされている。
【００７７】
音声認識の際にはそれぞれの辞書領域をＡ０００００番地から順番にアクセスしていき、パターンマッチングを行い、一致すれば終了するが、それぞれの辞書領域のアクセス順を変更してパターンマッチングを行うことも可能である。アドレスの順にアクセスする場合では日本語、英語、フランス語、ドイツ語、イタリア語の順番になるが、英語を優先して音声認識したい場合にはアドレスアクセスの制御を変更することで英語、フランス語、ドイツ語、イタリア語、日本語の順に変更できる。
【００７８】
図１１は、本発明に係る画像形成装置における第１のデータ処理手順の一例を示すフローチャートであり、カセットの用紙サイズに応じて音声認識を行う場合の処理手順に対応する。なお、Ｓ１〜Ｓ７は各ステップを示す。
【００７９】
まず、ＣＰＵ４０１は、ステップＳ１で操作パネル１４０上の音声キー１０３３が入力されたかどうかを判断する。入力されていないと判断した場合は、本処理を終了し、入力されていると判断した場合は、ステップＳ２でカセットサイズＳＷ２１２の入力を読み取る。この入力によってカセットサイズがＡＢ系列かインチ系列かを判断する。
【００８０】
次に、ステップＳ３で、ステップＳ２の検出結果に応じて、ＲＡＭ５０５内の認識用の単語辞書の認識順の変更が必要かどうかを判断する。
【００８１】
例えば、デフォルトの認識順として、日本語、英語、フランス語、ドイツ語、イタリア語の順になっているとする。
【００８２】
そして、ステップＳ２でインチ系列と判断された場合には、ステップＳ３の判断では比較順の変更が必要と判断し、ステップＳ４で英語、フランス語、ドイツ語、イタリア語、日本語の順に言語順序を変更する。
【００８３】
また、ステップＳ２でＡＢ系列と判断された場合には、ステップＳ３の判断では比較順の変更が必要ないと判断し、ステップＳ４はスキップする。
【００８４】
次にステップＳ５に進み、音声認識処理を開始し、ステップＳ６で設定された単語辞書の認識順に従ってパターンマッチング処理を行い、ステップＳ７でパターンが一致して処理が終了したかどうかを判断し、一致して処理を終了すると判断した場合は、本処理を終了するが、一致しないと判断した場合には、ステップＳ６に戻ってパターンマッチング処理を繰り返す。
【００８５】
図１２は、本発明に係る画像形成装置における第２のデータ処理手順の一例を示すフローチャートであり、操作パネルの表示言語に応じて音声認識を行う処理手順に対応する。なお、Ｓ１１〜Ｓ１７は各ステップを示す。
【００８６】
まず、ＣＰＵ４０１はステップＳ１１で操作パネル１４０上の音声キー１０３３が入力されたかどうかを判断して、入力されていないと判断した場合は、本処理を終了し、入力されていると判断した場合は、ステップＳ１２で操作パネルの表示言語として設定された言語情報を読み取る。この入力によって操作パネルに表示している言語が何語であるかを判断する。次に、ステップＳ１３で、ステップＳ２の検出結果に応じて、ＲＡＭ５０５内の認識用の単語辞書の認識順の変更が必要かどうかを判断する。
【００８７】
例えば、デフォルトの認識順として、日本語、英語、フランス語、ドイツ語、イタリア語の順になっているとする。また、ステップＳ１２で英語と判断された場合には、ステップＳ１３の判断では比較順の変更が必要と判断し、ステップＳ１４で英語、フランス語、ドイツ語、イタリア語、日本語の順に変更する。
【００８８】
ステップＳ１２で日本語と判断された場合にはステップＳ１３の判断では比較順の変更が必要ないと判断し、ステップＳ１４はスキップする。
【００８９】
次に、ステップＳ１５に進み、音声認識処理を開始し、ステップＳ１６で設定された単語辞書の認識順に従ってパターンマッチング処理を行い、ステップＳ１７でパターンが一致して処理が終了したかどうかを判断し、ＹＥＳならば一致して処理を終了するが、一致していない場合はステップＳ１６に戻ってパターンマッチング処理を繰り返す。
【００９０】
図１３は、本発明に係る画像形成装置における第３のデータ処理手順の一例を示すフローチャートであり、カセットの用紙サイズに応じて音声認識を行うか、操作パネルの表示言語に応じて音声認識を行うかを選択する処理手順に対応する。なお、Ｓ３１〜Ｓ３９は各ステップを示す。
【００９１】
まず、ＣＰＵ４０１はステップＳ３１で操作パネル１４０上の音声キー１０３３が入力されたかどうかを判断する。入力されていないと判断した場合は、本処理を終了し、入力されていると判断した場合は、ステップＳ３２で音声認識詳細設定の用紙優先キー９０１が押されたか表示言語優先キー９０２が押されて表示言語優先が選択された否かを判断して、ステップＳ３２で用紙優先キー９０１が押されて設定されたと判断した場合は、ステップＳ３３に進み、カセットサイズＳＷ２２３の入力を読み取る。この入力によってカセットサイズがＡＢ系列かインチ系列かを判断する。
【００９２】
一方、ステップＳ３２で表示言語優先キー９０２が押されて設定されたと判断した場合は、ステップＳ３４に進み、操作パネル１４０の表示言語として設定された言語情報を読み取る。この入力によって操作パネル１４０に表示している言語が何語であるかを判断する。
【００９３】
次に、ステップＳ３５で、ステップＳ３３またはステップＳ３４の検出結果に応じて、ＲＡＭ５０５内の認識用の単語辞書の認識順の変更が必要かどうかを判断する。例えば、デフォルトの認識順として、日本語、英語、フランス語、ドイツ語、イタリア語の順になっているとする。
【００９４】
ステップＳ３２の処理の後、ステップＳ３３に進んだ場合、ステップＳ３３でインチ系列と判断された場合には、ステップＳ３５の判断では比較順の変更が必要と判断し、ステップＳ３６で英語、フランス語、ドイツ語、イタリア語、日本語の順に変更する。
【００９５】
また、ステップＳ３３でＡＢ系列と判断された場合には、ステップＳ３５の判断では比較順の変更が必要ないと判断し、ステップＳ３６はスキップする。
【００９６】
一方、ステップＳ３２の処理の後、ステップＳ３４に進んだ場合、ステップＳ３４で英語と判断された場合には、ステップＳ３５の判断では比較順の変更が必要と判断し、ステップＳ３６で英語、フランス語、ドイツ語、イタリア語、日本語の順に変更する。
【００９７】
そして、ステップＳ３４で日本語と判断された場合には、ステップＳ３５の判断では比較順の変更が必要ないと判断し、ステップＳ３６はスキップする。
【００９８】
次にステップＳ３７に進み、音声認識処理を開始し、ステップＳ３８で設定された単語辞書の認識順に従ってパターンマッチング処理を行い、ステップＳ３９でパターンが一致して処理が終了したかどうかを判断し、一致したら終了するが、一致しない場合はステップＳ３８に戻ってパターンマッチング処理を繰り返す。
【００９９】
上記のように、音声認識を行う時に用紙サイズ情報や操作パネルの表示言語情報に応じた制御を行える構成としたので、従来の様に多言語における音声認識においても誤認識を減少させるとともに認識処理速度を上げることが可能となり、装置の音声入力機能の使い勝手が格段に向上する。
【０１００】
以下、図１４に示すメモリマップを参照して本発明に係る画像形成装置で読み取り可能なデータ処理プログラムの構成について説明する。
【０１０１】
図１４は、本発明に係る画像形成装置で読み取り可能な各種データ処理プログラムを格納する記憶媒体のメモリマップを説明する図である。
【０１０２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１０４】
本実施形態における図１１〜図１３に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１０５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１０６】
この場合、記憶媒体から読み出されたプログラムコード自体が本発明の新規な機能を実現することになり、そのプログラムコードを記憶した記憶媒体は本発明を構成することになる。
【０１０７】
従って、プログラムの機能を有していれば、オブジェクトコード、インタプリタにより実行されるプログラム、ＯＳに供給するスクリプトデータ等、プログラムの形態を問わない。
【０１０８】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１０９】
この場合、記憶媒体から読出されたプログラムコード自体が前述した実施形態の機能を実現することになり、そのプログラムコードを記憶した記憶媒体は本発明を構成することになる。
【０１１０】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１１１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１１２】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１４】
本発明は上記実施形態に限定されるものではなく、本発明の趣旨に基づき種々の変形（各実施形態の有機的な組合せを含む）が可能であり、それらを本発明の範囲から排除するものではない。
【０１１５】
本発明の様々な例と実施形態を示して説明したが、当業者であれば、本発明の趣旨と範囲は、本明細書内の特定の説明に限定されるものではない。
【０１１６】
なお、本発明は、上記した実施形態に限定されるものではなく、本発明の要旨を逸脱しない範囲内において種々変更を加え得ることは勿論である。
【図面の簡単な説明】
【０１１７】
【図１】本発明の一実施形態を示す画像形成装置の構成を説明する概略断面図である。
【図２】図１に示した画像形成装置の操作パネルの構成を説明するブロック図である。
【図３】図１に示した音声入出力ユニットの詳細構成を説明するブロック図である。
【図４】図１に示した画像形成装置におけるコントローラ部の構成を説明するブロック図である。
【図５】図４に示した画像処理部の詳細構成を説明するブロック図である。
【図６】図１に示した画像形成装置の操作パネルの構成を説明する平面図である。
【図７】図６に示した操作パネルのＬＣＤ表示部の標準表示画面例を説明する図である。
【図８】図６に示した操作パネルのＬＣＤ表示部の表示画面例を説明する図である。
【図９】図６に示した操作パネルのＬＣＤ表示部の表示画面例を説明する図である。
【図１０】図３に示した音声入出力ユニット内のＣＰＵがアクセスするＲＡＭのアドレスマップを説明する図である。
【図１１】本発明に係る画像形成装置における第１のデータ処理手順の一例を示すフローチャートである。
【図１２】本発明に係る画像形成装置における第２のデータ処理手順の一例を示すフローチャートである。
【図１３】本発明に係る画像形成装置における第３のデータ処理手順の一例を示すフローチャートである。
【図１４】本発明に係る画像形成装置で読み取り可能な各種データ処理プログラムを格納する記憶媒体のメモリマップを説明する図である。
【符号の説明】
【０１１８】
１３９  コントローラ部
１４０  操作パネル
２０１、４０１  ＣＰＵ
２１６  音声入出力ユニット
【図１】
2005257903.tif 000003
【図２】
2005257903.tif 000004
【図３】
2005257903.tif 000005
【図４】
2005257903.tif 000006
【図５】
2005257903.tif 000007
【図６】
2005257903.tif 000008
【図７】
2005257903.tif 000009
【図８】
2005257903.tif 000010
【図９】
2005257903.tif 000011
【図１０】
2005257903.tif 000012
【図１１】
2005257903.tif 000013
【図１２】
2005257903.tif 000014
【図１３】
2005257903.tif 000015
【図１４】
2005257903.tif 000016